(57)【要約】【課題】複数のパターンを表示可能であり、かつ、低コストな表示装置が望まれている。【解決手段】表示装置は、第１光源からの光の光路を変更して、第１光源からの光の少なくとも一部を、ユーザに投射する第１光路変更部と、第１光源とは異なる位置に配された第２光源からの光の光路を変更して、第２光源からの光の少なくとも一部を、ユーザに投射する第２光路変更部と、第１光源からの光の光路及び第２光源からの光の光路を変更して、第１光源からの光の少なくとも一部及び第２光源からの光の少なくとも一部を、ユーザに投射する第３光路変更部とを備える。【選択図】図２
2018163187.tif 000002
【特許請求の範囲】
【請求項１】
第１光源からの光の光路を変更して、前記第１光源からの光の少なくとも一部を、ユーザに投射する第１光路変更部と、
前記第１光源とは異なる位置に配された第２光源からの光の光路を変更して、前記第２光源からの光の少なくとも一部を、前記ユーザに投射する第２光路変更部と、
前記第１光源からの光の光路及び前記第２光源からの光の光路を変更して、前記第１光源からの光の少なくとも一部及び前記第２光源からの光の少なくとも一部を、前記ユーザに投射する第３光路変更部と
を備える表示装置。
【請求項２】
前記第１光路変更部、前記第２光路変更部、及び前記第３光路変更部は、前記表示装置の表示面に平行な面内で互いに異なる位置に配された反射面を有する
請求項１に記載の表示装置。
【請求項３】
前記第１光路変更部が有する前記反射面、前記第２光路変更部が有する前記反射面、及び前記第３光路変更部が有する前記反射面は、前記表示面に平行な面に対する角度が互いに異なる
請求項２に記載の表示装置。
【請求項４】
前記表示装置の表示面に平行な面に対する前記第３光路変更部が有する前記反射面の角度は、前記表示面に平行な面に対する前記第１光路変更部が有する前記反射面の角度と、前記第２光路変更部が有する前記反射面の前記表示面に平行な面に対する角度との間である
請求項２又は３に記載の表示装置。
【請求項５】
前記第３光路変更部は、前記表示面に平行な面に対する角度が異なる複数の反射面を有する
請求項２から４のいずれか一項に記載の表示装置。
【請求項６】
前記第３光路変更部が有する前記複数の反射面は、多角錐を形成する
請求項５に記載の表示装置。
【請求項７】
前記第３光路変更部は、曲面形状を持つ反射面を有する
請求項１又は２に記載の表示装置。
【請求項８】
前記第１光路変更部は、前記表示装置の表示面に平行な面内で互いに異なる位置に配され、前記第１光源からの光を反射する複数の反射面を有し、
前記第２光路変更部は、前記表示装置の表示面に平行な面内で互いに異なる位置に配され、前記第２光源からの光を反射する複数の反射面を有し、
前記第１光路変更部が有する前記複数の反射面による前記第１光源からの光の反射光により、第１の像が形成され、
前記第２光路変更部が有する前記複数の反射面による前記第２光源からの光の反射光により、前記第１の像とは異なる第２の像が形成される
請求項１から７のいずれか一項に記載の表示装置。
【請求項９】
前記第３光路変更部は、前記第１の像と前記第２の像が重なる位置に設けられる
請求項８に記載の表示装置。
【請求項１０】
前記第３光路変更部が前記ユーザに投射する前記第１光源からの光の量と、前記第３光路変更部が前記ユーザに投射する前記第２光源からの光の量との差は、前記第１の像の認識し易さと、前記第２の像の認識し易さとに基づいて定められる
請求項９に記載の表示装置。
【請求項１１】
前記第１光源と、
前記第２光源と
をさらに備える請求項１から１０のいずれか一項に記載の表示装置。
【請求項１２】
前記第１光源から光を出射させ、前記第２光源から光を出射させない第１の状態と、前記第２光源から光を出射させ、前記第１光源から光を出射させない第２の状態とを切り替える制御部
をさらに備える請求項１から１１のいずれか一項に記載の表示装置。
【発明の詳細な説明】
【技術分野】
【０００１】
本発明は、表示装置に関する。
【背景技術】
【０００２】
バッテリの収集、充電、および分配を行なうマシンにおいて、利用可能な充電済みバッテリを有しているマシンの場所を表示する技術が知られている（特許文献１を参照されたい）。
［先行技術文献］
［特許文献］
［特許文献１］特表２０１４−５２９１１９号公報
【発明の概要】
【発明が解決しようとする課題】
【０００３】
複数のパターンを表示可能であり、かつ、低コストな表示装置が望まれている。
【課題を解決するための手段】
【０００４】
本発明の第１の態様においては、表示装置が提供される。表示装置は、第１光源からの光の光路を変更して、第１光源からの光の少なくとも一部を、ユーザに投射する第１光路変更部を備える。表示装置は、第１光源とは異なる位置に配された第２光源からの光の光路を変更して、第２光源からの光の少なくとも一部を、ユーザに投射する第２光路変更部を備える。表示装置は、第１光源からの光の光路及び第２光源からの光の光路を変更して、第１光源からの光の少なくとも一部及び第２光源からの光の少なくとも一部を、ユーザに投射する第３光路変更部を備える。
【０００５】
第１光路変更部、第２光路変更部、及び第３光路変更部は、表示装置の表示面に平行な面内で互いに異なる位置に配された反射面を有してよい。
【０００６】
第１光路変更部、第２光路変更部、及び第３光路変更部は、表示面に平行な面に対する角度が互いに異なってよい。
【０００７】
第３光路変更部が有する反射面の表示面に平行な面に対する角度は、第１光路変更部が有する反射面の表示面に平行な面に対する角度と、第２光路変更部が有する反射面の表示面に平行な面に対する角度との間であってよい。
【０００８】
第３光路変更部は、表示面に平行な面に対する角度が異なる複数の反射面を有してよい。
【０００９】
第３光路変更部が有する複数の反射面は、多角錐を形成してよい。
【００１０】
第３光路変更部は、曲面形状を持つ反射面を有してよい。
【００１１】
第１光路変更部は、表示装置の表示面に平行な面内で互いに異なる位置に配され、第１光源からの光を反射する複数の反射面を有してよい。第２光路変更部は、表示装置の表示面に平行な面内で互いに異なる位置に配され、第２光源からの光を反射する複数の反射面を有してよい。第１光路変更部が有する複数の反射面による第１光源からの光の反射光により、第１の像が形成されてよい。第２光路変更部が有する複数の反射面による第２光源からの光の反射光により、第１の像とは異なる第２の像が形成されてよい。
【００１２】
第３光路変更部は、第１の像と第２の像が重なる位置に設けられてよい。
【００１３】
第３光路変更部がユーザに投射する第１光源からの光の量と、第３光路変更部がユーザに投射する第２光源からの光の量との差は、第１の像の認識し易さと、第２の像の認識し易さとに基づいて定められてよい。
【００１４】
表示装置は、第１光源を備えてよい。表示装置は、第２光源を備えてよい。
【００１５】
表示装置は、第１光源から光を出射させ、第２光源から光を出射させない第１の状態と、第２光源から光を出射させ、第１光源から光を出射させない第２の状態とを切り替える制御部をさらに備えてよい。
【００１６】
なお、上記の発明の概要は、本発明の必要な特徴の全てを列挙したものではない。また、これらの特徴群のサブコンビネーションもまた、発明となりうる。
【図面の簡単な説明】
【００１７】
【図１】表示装置１００の部分的な構成の一例を概略的に示す。
【図２】表示装置１００を備えるバッテリ充電装置２００の構成を概略的に示す。
【図３】バッテリ充電装置２００をｘｚ面に平行な面で切断した場合の断面透視図を模式的に示す。
【図４】第１光路変更部１０及び第３光路変更部３０が形成されている位置を概略的に示す。
【図５】第２光路変更部２０及び第３光路変更部３０が形成されている位置を概略的に示す。
【図６】第１光源４１のみから光を出射した場合にユーザ９０が認識する像を模式的に示す。
【図７】第２光源４２のみから光を出射した場合にユーザ９０が認識する像を模式的に示す。
【図８】第３光路変更部３０が有する反射面の変形例を模式的に示す。
【図９】第３光路変更部３０が有する反射面の他の変形例を模式的に示す。
【図１０】第３光路変更部３０が有する反射面の他の変形例を模式的に示す。
【図１１】第３光路変更部３０が有する反射面の他の変形例を模式的に示す。
【発明を実施するための形態】
【００１８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１９】
図１は、表示装置１００の部分的な構成の一例を概略的に示す。図１において、表示装置１００は、第１光路変更部１０と、第２光路変更部２０と、第３光路変更部３０とを備える。第１光路変更部１０、第２光路変更部２０、及び第３光路変更部３０は、シート７０上に形成されている。表示装置１００の表示面は、シート７０の主面７１にあるとする。
【００２０】
表示装置１００の構成を分り易く示すために、本実施形態の説明に用いる図面は、部材の大きさ等が強調して示されていたり、一部の部材が他の部材とは異なるスケールで示されていたりする場合があることに留意すべきである。
【００２１】
第１光源４１及び第２光源４２は、例えばＬＥＤである。第１光路変更部１０は、第１光源４１からの光の光路８１を変更して、第１光源４１からの光の少なくとも一部を、ユーザ９０に投射する。第２光路変更部２０は、第１光源４１とは異なる位置に配された第２光源４２からの光の光路８２を変更して、第２光源４２からの光の少なくとも一部を、ユーザ９０に投射する。第３光路変更部３０は、第１光源４１からの光の光路８１及び第２光源４２からの光の光路８２を変更して、第１光源４１からの光の少なくとも一部及び第２光源４２からの光の少なくとも一部を、ユーザ９０に投射する。
【００２２】
表示装置１００によれば、第１光源４１から光が出射している場合に、ユーザ９０は、第１光路変更部１０及び第３光路変更部３０の位置に輝点を持つ第１のパターンを認識することができる。一方、第２光源４２から光が出射している場合に、ユーザ９０は、第２光路変更部２０及び第３光路変更部３０の位置に輝点を持つ第２のパターンを認識することができる。したがって、表示装置１００によれば、第１光源４１のみから光が出射させた場合と、第２光源４２のみから光が出射させた場合とで、互いに異なるパターンを表示することができる。
【００２３】
第１光路変更部１０は、反射面１１を有する。第２光路変更部２０は反射面２１を有する。第３光路変更部３０は、反射面３１を有する。第１光路変更部１０の反射面１１は、ｘｙ面上に複数設けられる。第２光路変更部２０の反射面２１は、ｘｙ面上に複数設けられる。第３光路変更部３０の反射面３１は、ｘｙ面上に１以上設けられる。反射面１１、反射面２１及び反射面３１は、表示装置１００の表示面に平行な面内で、互いに異なる位置に配される。
【００２４】
第１光路変更部１０が有する反射面１１、第２光路変更部２０が有する反射面２１、及び第３光路変更部３０が有する反射面３１は、表示面に平行な面に対する角度が互いに異なる。具体的には、表示装置１００の表示面に平行な面に対する第３光路変更部３０が有する反射面３１の角度は、表示面に平行な面に対する第１光路変更部１０が有する反射面１１の角度と、第２光路変更部２０が有する反射面２１の表示面に平行な面に対する角度との間であることが好ましい。
【００２５】
表示装置１００において、第１のパターンと第２のパターンとが交わる領域に、第３光路変更部３０を設けている。これにより、第１光源４１と第２光源４２のどちらからの光も、ユーザ９０に投射することができる。したがって、第１のパターン及び第２のパターンの一方が、パターンが交わる領域で部分的に欠けたように見えてしまうことを抑制することができる。
【００２６】
本実施形態において、表示装置１００の表示面は平面であるとする。例えば、第１光路変更部１０、第２光路変更部２０及び第３光路変更部３０が設けられた面は、平面であるとする。本実施形態の説明において、表示装置１００の構成を、一つの座標系で示される向きを用いて説明する場合がある。座標系のｚ軸の方向を、表示装置１００の表示面に直交する方向に定める。表示装置１００の表示面から第１光路変更部１０、第２光路変更部２０及び第３光路変更部３０からの光が進む方向を、ｚ軸プラス方向と定める。表示装置１００の表示面は、ｘｙ平面に平行とする。本実施形態において、第１光源４１と第２光源４２とを結ぶ方向であって、表示装置１００の表示面に投影した方向を、ｘ軸方向とする。第２光源４２から第１光源４１に向かう方向を、ｘ軸プラス方向とする。座標系は右手系とする。
【００２７】
図２は、表示装置１００を備えるバッテリ充電装置２００の構成を概略的に示す。図２は、表示装置１００をｙｚ面に平行な面で切断した場合の断面透視図を模式的に示す。図３は、バッテリ充電装置２００をｘｚ面に平行な面で切断した場合の断面透視図を模式的に示す。
【００２８】
バッテリ充電装置２００は、バッテリ２１０を収容した状態で充電する。バッテリ充電装置２００は、本体２２０と、バッテリ収容部２４０と、充電器２５０と、取手部２６０と、表示装置１００とを備える。
【００２９】
取手部２６０は、バッテリ充電装置２００の上方に設けられた空洞部を提供する。取手部２６０は、本体２２０の外面の一部を提供する第１面２６１と、第１面２６１よりｚ軸マイナス方向の第２面２６２とを有する。空洞部は、第２面２６２と、第２面２６２に対向する第３面２６３に挟まれた空間を含む。
【００３０】
バッテリ充電装置２００において、バッテリ収容部２４０は、ｘ軸方向に平行な回転軸を中心に回転可能に設けられる。ユーザ９０が取手部２６０を持ってｚ軸方向に引っ張ることにより、バッテリ収容部２４０は当該回転軸を中心に回転する。これにより、バッテリ収容部２４０は、閉状態から開状態となって、ユーザ９０がバッテリ２１０にアクセス可能となる。バッテリ収容部２４０が開状態の場合に、ユーザ９０は、バッテリ２１０をバッテリ収容部２４０から取り出すことができる。バッテリ収容部２４０が開状態の場合に、ユーザ９０は、バッテリ収容部２４０にバッテリ２１０を挿入することができる。
【００３１】
バッテリ２１０は、リチウムイオン電池、ニッケル水素電池、鉛蓄電池等の二次電池である。充電器２５０は、バッテリ２１０がバッテリ収容部２４０に収容され、バッテリ収容部２４０が閉状態の場合に、バッテリ２１０を充電することが可能となる。充電器２５０は、系統電源や発電機等の電源から供給された電気エネルギーにより、バッテリ２１０を充電する。
【００３２】
表示装置１００は、図１に関連して説明した第１光路変更部１０、第２光路変更部２０及び第３光路変更部３０に加えて、第１光源４１と、第２光源４２と、シート７０と、制御部５０とを備える。
【００３３】
第１光源４１及び第２光源４２は、第２面２６２に設けられる。シート７０は、第２面２６２に対向する第３面２６３に設けられる。
【００３４】
制御部５０は、第１光源４１から光を出射させ、第２光源４２から光を出射させない第１の状態と、第２光源４２から光を出射させ、第１光源４１から光を出射させない第２の状態とを切り替える。これにより、第１光路変更部１０及び第３光路変更部３０で形成される第１のパターンを表示させるか、第２光路変更部２０及び第３光路変更部３０で形成される第２のパターンを表示させるかを切り替える。例えば、制御部５０は、バッテリ充電装置２００の状態に応じて、第１光源４１から光を出射させるか、第２光源４２から光を出射させるかを決定する。
【００３５】
例えば、後述するように、第１光路変更部１０及び第３光路変更部３０により「ＯＰＥＮ」のパターンが形成され、第２光路変更部２０及び第３光路変更部３０により「ＣＬＯＳＥ」のパターンが形成される場合、制御部５０は、ユーザ９０にバッテリ２１０を提供可能なときは、第１光源４１から光を出射させ、第２光源４２から光を出射させない第１の状態にする。一方、ユーザ９０にバッテリ２１０を提供可能でないときは、制御部５０は、第２光源４２から光を出射させ、第１光源４１から光を出射させない第２の状態にする。
【００３６】
表示装置１００によれば、シート７０の背後に光源を置く必要がない。そのため、シート７０のｚ軸方向の厚みを薄くすることができる。そのため、シート７０が目立たないようにすることができる。また、場合によっては、バッテリ充電装置２００の曲面形状を有する表面に、シート７０を取り付けることができる場合がある。
【００３７】
図４は、第１光路変更部１０及び第３光路変更部３０が形成されている位置を概略的に示す。第１光路変更部１０及び第３光路変更部３０は、シート７０の主面７１上に形成された複数の反射面により形成される。第１光路変更部１０の複数の反射面及び第３光路変更部３０の複数の反射面は、シート７０の主面７１上に形成する「ＯＰＥＮ」の文字パターンに対応する位置に配されている。
【００３８】
図５は、第２光路変更部２０及び第３光路変更部３０が形成されている位置を概略的に示す。第２光路変更部２０及び第３光路変更部３０は、シート７０の主面７１上に形成された複数の反射面により形成される。第２光路変更部２０の複数の反射面及び第３光路変更部３０の複数の反射面は、シート７０の主面７１上に形成する「ＣＬＯＳＥ」の文字パターンに対応する位置に配されている。
【００３９】
図６は、第１光源４１のみから光を出射した場合にユーザ９０が認識する像を模式的に示す。第１光源４１から光を出射させることで、第１光路変更部１０及び第３光路変更部３０のそれぞれの反射面で光が反射して、ユーザ９０の位置に向かう。これにより、第１光路変更部１０及び第３光路変更部３０のそれぞれの反射面が配された位置に輝点が生じる。第１光路変更部１０及び第３光路変更部３０のそれぞれの反射面により生じる複数の輝点により、「ＯＰＥＮ」のパターンがユーザ９０に認識される。
【００４０】
図７は、第２光源４２のみから光を出射した場合にユーザ９０が認識する像を模式的に示す。第２光源４２から光を出射させることで、第２光路変更部２０及び第３光路変更部３０のそれぞれの反射面で光が反射して、ユーザ９０の位置に向かう。これにより、第２光路変更部２０及び第３光路変更部３０のそれぞれの反射面が配された位置に輝点が生じる。第２光路変更部２０及び第３光路変更部３０のそれぞれの反射面により生じる複数の輝点により、「ＣＬＯＳＥ」のパターンがユーザ９０に認識される。
【００４１】
シート７０の主面７１において「ＯＰＥＮ」と「ＣＬＯＳＥ」の文字が重なる位置の輝点は、第３光路変更部３０が有する反射面により提供される。第３光路変更部３０により、第１光源４１及び第２光源４２のどちらの光によっても輝点を提供できる。そのため、「ＯＰＥＮ」の文字パターン及び「ＣＬＯＳＥ」の文字パターンの双方において、輝点抜けが生じることを抑制することができる。
【００４２】
このように、第１光路変更部１０は、表示装置１００の表示面に平行な面内で互いに異なる位置に配され、第１光源４１からの光を反射する複数の反射面を有する。第２光路変更部２０は、表示装置１００の表示面に平行な面内で互いに異なる位置に配され、第２光源４２からの光を反射する複数の反射面を有する。そして、第１光路変更部１０が有する複数の反射面による第１光源からの光の反射光により、第１の像が形成される。また、第２光路変更部２０が有する複数の反射面による第２光源４２からの光の反射光により、第１の像とは異なる第２の像が形成される。
【００４３】
上述したように、第３光路変更部３０は、第１の像と第２の像が重なる位置に設けられる。第３光路変更部３０からのユーザ９０に投射される光の量は、表示装置１００の表示面に対する第３光路変更部３０が有する反射面３１の角度に依存する。例えば第１光源４１からの光によって輝度がより高い輝点を提供する必要がある場合は、第３光路変更部３０の反射面３１の角度を、第１光路変更部１０の反射面１１の角度に近づけてもよい。これにより、第３光路変更部３０がユーザ９０に投射する第１光源からの光の量は増加する。
【００４４】
例えば、「ＯＰＥＮ」のパターンと「ＣＬＯＳＥ」のパターンが重なる部分において、「ＯＰＥＮ」の文字が輝度不足により認識しにくくなる一方で、「ＣＬＯＳＥ」の文字は認識し易い場合は、第３光路変更部３０の反射面３１の角度と第１光路変更部１０の反射面１１の角度との差を、第３光路変更部３０の反射面３１の角度と第２光路変更部２０の反射面２１の角度との差より小さくしてよい。
【００４５】
このように、第３光路変更部３０がユーザ９０に投射する第１光源からの光の量と、第３光路変更部３０がユーザ９０に投射する第２光源４２からの光の量との差は、第１の像の認識し易さと、第２の像の認識し易さとに基づいて定められてよい。当該光の量の差は、輝点の輝度の低下の目立ち易さに基づいて定められてもよい。
【００４６】
なお、上記の表示装置１００において、第１光源４１及び第２光源４２は、独立した光源であってよい。第１光源４１及び第２光源４２は、発光体を有することを要しない。「第１光源とは異なる位置に配された第２光源」とは、光の出射位置が異なることを意味する。例えば、単一の発光体からの光を導光して互いに異なる位置から出射させるようにして第１光源４１及び第２光源４２を構成してよい。
【００４７】
図８は、第３光路変更部３０が有する反射面の変形例を模式的に示す。本変形例の第３光路変更部３０は、反射面８０１と、反射面８０２と、反射面８０３とを有する。反射面８０１、反射面８０２、及び反射面８０３は、互いに異なる位置の光源からの光を反射して、ユーザ９０に投射することができる。このように、第３光路変更部３０は、表示面に平行な面に対する角度が異なる複数の反射面を有する。
【００４８】
図９は、第３光路変更部３０が有する反射面の他の変形例を模式的に示す。本変形例の第３光路変更部３０は、曲面の反射面９００を有する。曲面形状の反射面９００は、いわば多数の傾きの反射面をもつとみなすことができる。本変形例の第３光路変更部３０によれば、曲面形状の反射面９００により、多方向らの光により輝点を提供することができる。
【００４９】
図１０は、第３光路変更部３０が有する反射面の他の変形例を模式的に示す。本変形例の第３光路変更部３０は、反射面１００１と、反射面１００２と、反射面１００３と、反射面１００４とを有する。本変形例の第３光路変更部３０が有する複数の反射面は、多角錐を形成する。本変形例の第３光路変更部３０によれば、４方向の光により輝点を提供することができる。
図１１は、第３光路変更部３０が有する反射面の他の変形例を模式的に示す。本変形例の第３光路変更部３０は、反射面１１０１と、反射面１１０２と、反射面１１０３と、反射面１１０４と、反射面１１０５とを有する。本変形例において、第３光路変更部３０が有する複数の反射面は、多角錐を形成する。これにより、５方向の光により輝点を提供することができる。
【００５０】
図８、図１０、及び図１１に関連して説明したように、第３光路変更部３０は、互いに異なる位置に設けられ、表示面に対する角度が互いに異なる複数の反射面を有してよい。表示面に対する第３光路変更部３０が有する複数の反射面のそれぞれの角度は、表示面に対する第１光路変更部１０が有する反射面の角度と、表示面に対する第２光路変更部２０が有する反射面の角度との間の角度であってよい。
【００５１】
以上に説明した表示装置１００によれば、複数のパターンを表示可能でありながら、低コストな表示装置を提供することができる。
【００５２】
表示装置１００の適用対象は、バッテリ充電装置に限られない。表示装置１００は、他の様々な機器に適用可能である。
【００５３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。その様な変更または改良を加えた形態も本発明の技術的範囲に含まれ得ることが、特許請求の範囲の記載から明らかである。
【００５４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５５】
１００  表示装置
４１  第１光源
４２  第２光源
５０  制御部
７０  シート
７１  主面
８１  光路
８２  光路
２００  バッテリ充電装置
２１０  バッテリ  
２２０  本体
２４０  バッテリ収容部
２５０  充電器
２６０  取手部
２６１  第１面
２６２  第２面
２６３  第３面
８０１  反射面
８０２  反射面
８０３  反射面
１０  第１光路変更部
１１  反射面
１２  反射面
１３  反射面  
２０  第２光路変更部  
２１  反射面  
３０  第３光路変更部  
３１  反射面  
５０  制御部
９０  ユーザ
９００  反射面  
１００１  反射面  
１００２  反射面
１００３  反射面
１００４  反射面
１１０１  反射面
１１０２  反射面
１１０３  反射面
１１０４  反射面
１１０５  反射面
【図１】
2018163187.tif 000003
【図２】
2018163187.tif 000004
【図３】
2018163187.tif 000005
【図４】
2018163187.tif 000006
【図５】
2018163187.tif 000007
【図６】
2018163187.tif 000008
【図７】
2018163187.tif 000009
【図８】
2018163187.tif 000010
【図９】
2018163187.tif 000011
【図１０】
2018163187.tif 000012
【図１１】
2018163187.tif 000013
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
表示装置であって、
第１光源からの光の光路を変更して、前記第１光源からの光の少なくとも一部を、ユーザに投射する第１光路変更部と、
前記第１光源とは異なる位置に配された第２光源からの光の光路を変更して、前記第２光源からの光の少なくとも一部を、前記ユーザに投射する第２光路変更部と、
前記第１光源からの光の光路及び前記第２光源からの光の光路を変更して、前記第１光源からの光の少なくとも一部及び前記第２光源からの光の少なくとも一部を、前記ユーザに投射する第３光路変更部と、
前記第１光源から光を出射させ、前記第２光源から光を出射させない第１の状態と、前記第２光源から光を出射させ、前記第１光源から光を出射させない第２の状態とを切り替える制御部と
を備え、
前記表示装置は、前記表示装置の表示面側に主面を有するシートを備え、前記第１光路変更部、前記第２光路変更部、及び前記第３光路変更部は、前記シートの前記主面上に形成されており、
前記第１光路変更部は、前記シートの前記主面上の互いに異なる位置に配され、前記第１光源からの光を反射する複数の反射面を有し、
前記第２光路変更部は、前記シートの前記主面上の互いに異なる位置に配され、前記第２光源からの光を反射する複数の反射面を有し、
前記第３光路変更部は、前記シートの前記主面上の互いに異なる位置に配され、前記第１光源及び前記第２光源からの光を反射する複数の反射面を有し、
前記第１光路変更部及び前記第３光路変更部が有する前記複数の反射面による前記第１光源からの光の反射光により、第１の像が形成され、
前記第２光路変更部及び前記第３光路変更部が有する前記複数の反射面による前記第２光源からの光の反射光により、前記第１の像とは異なる第２の像が形成され、
前記第１光源及び前記第２光源は、前記表示面より、前記ユーザ側に設けられ、
前記表示装置の表示面に対する前記第３光路変更部が有する前記複数の反射面の角度は、前記表示面に対する前記第１光路変更部が有する前記複数の反射面の角度と、前記表示面に対する前記第２光路変更部が有する前記複数の反射面の角度との間である
表示装置。
【請求項２】
前記第３光路変更部は、前記表示面に対する角度が異なる複数の反射面を有する
請求項１に記載の表示装置。
【請求項３】
前記第３光路変更部が有する前記複数の反射面は、多角錐を形成する
請求項２に記載の表示装置。
【請求項４】
前記第３光路変更部は、曲面形状を持つ反射面を有する
請求項１に記載の表示装置。
【請求項５】
前記第３光路変更部は、前記第１の像と前記第２の像が重なる位置に設けられる
請求項１から４のいずれか一項に記載の表示装置。
【請求項６】
前記第３光路変更部が前記ユーザに投射する前記第１光源からの光の量と、前記第３光路変更部が前記ユーザに投射する前記第２光源からの光の量との差は、前記第１の像の認識し易さと、前記第２の像の認識し易さとに基づいて定められる
請求項５に記載の表示装置。
【請求項７】
前記第１光源と、
前記第２光源と
をさらに備える請求項１から６のいずれか一項に記載の表示装置。
【請求項８】
請求項１から７のいずれか一項に記載の表示装置と、
本体と、
バッテリ収容部と、
前記バッテリ収容部を閉状態又は開状態にするためにユーザが持つ取手部と
を備え、
前記取手部は、前記本体の外面の一部を提供する第１面と、前記第１面の反対側の第２面とを有し、
前記第１光源及び前記第２光源は、前記第２面に設けられ、
前記シートは、前記第２面に対向する第３面に設けられ、
前記制御部は、前記バッテリ収容部に収容されたバッテリを前記ユーザに提供可能か否かに応じて、前記第１光源から光を出射させるか、前記第２光源から光を出射させるかを決定する
バッテリ充電装置。